(57)【特許請求の範囲】
【請求項１】
流路途中に弁室を設けてその弁室中で、リードシャフトを筒状体に挿入してリードシャフトの雄ねじ部と筒状体の雌ねじ部とを螺合させ、電動アクチュエータ側に設けられるリードシャフトと、弁体側に設けられる筒状体とを電動アクチュエータにより相対的に螺進させて、弁体を開閉動作させる流体遮断弁において、
前記リードシャフトを前記弁室内で軸受けしている軸受部材に、その軸受部分から筒状体の開口端部までを前記リードシャフトの雄ねじ部とともに内包して異物侵入を防止する保護部材が一体に設けられており、
前記筒状体が、前記リードシャフトの雄ねじ部と前記筒状体の雌ねじ部との螺合部分よりも延出する延出部を有し、その延出部の開口端部が前記保護部材に内包されているとともに、
前記筒状体は、外周面を前記保護部材の内周面に摺接させると同時に、内周面をリードシャフトに摺接させながら、前記弁体と一体に往復動する
ことを特徴とする、流体遮断弁。
【発明の詳細な説明】
【０００１】
【発明の属する技術分野】
この発明は、ガスメータ等のガス機器や水道配管機器や空調機器等に使用される流体遮断弁に関する。詳細には、リードシャフトを筒状体に挿入してリードシャフトの雄ねじ部と筒状体の雌ねじ部とを螺合させ、これらリードシャフトと筒状体とをモータやソレノイド等の電動アクチュエータにより相対的に螺進させて、弁体を開閉動作させる流体遮断弁に関するものである。
【０００２】
【従来の技術】
この種の流体遮断弁には、次の２つのタイプがある。
（Ａ）リードシャフトが電動アクチュエータ側、筒状体が弁体側に設けられ、電動アクチュエータによりリードシャフトが回転されて筒状体が弁体と一体に移動されるタイプ（たとえば、特開平５−７１６５５号公報参照）。
【０００３】
（Ｂ）また、上記とは逆に、リードシャフトが弁体側、筒状体が電動アクチュエータ側に設けられ、電動アクチュエータにより筒状体が回転されてリードシャフトが弁体と一体に移動されるタイプ（たとえば、特開平６−１８５６５７号公報参照）。
【０００４】
図３は、上記（Ａ）のタイプの従来のガスメータ用双方向遮断弁を示す。この遮断弁は、ガス流路１の途中の流入側１ａと流出側１ｂとが直角に交わるところに設けられ、弁室２内の円盤状の弁体３を、弁室２の外側からモータやソレノイド等の電動アクチュエータ５にて往復動させて、流出側１ｂに設けられた弁座６の弁口７を開閉する。電動アクチュエータ５の正逆回転を弁体３の往復動に変換するために、電動アクチュエータ５にて回転されるリードシャフト８を、弁体３の中央に突設された筒状体９に挿入してリードシャフト８の雄ねじ部８ａと筒状体９の雌ねじ部９ａとを螺合させてある。
【０００５】
【発明が解決しようとする課題】
しかし、従来は、リードシャフト８の雄ねじ部８ａ、およびそれと筒状体９の雌ねじ部９ａとの螺合部分が、遮断時でも流路内（弁室２内）で剥き出しになるため、螺合部分に異物が入り込んで動作不良を起こす問題があった。このようなことは、上記特開平５−７１６５５号公報に開示の遮断弁のみならず、特開平６−１８５６５７号公報に開示の遮断弁でも同様であった。
【０００６】
この発明の目的は、リードシャフトの雄ねじ部、およびそれと筒状体の雌ねじ部との螺合部分が、流路内で常に剥き出しにならないようにして、異物の侵入による動作不良を簡単に防止できるようにすることにある。
【０００７】
【課題を解決するための手段】
この発明は、流路途中に弁室を設けてその弁室中で、リードシャフトを筒状体に挿入してリードシャフトの雄ねじ部と筒状体の雌ねじ部とを螺合させ、これらリードシャフトと筒状体とを電動アクチュエータにより相対的に螺進させて、弁体を開閉動作させる流体遮断弁において、
前記リードシャフトを前記弁室内で軸受けしている軸受部材に、その軸受部分から筒状体の開口端部までを前記リードシャフトの雄ねじ部とともに内包して異物侵入を防止する保護部材が一体に設けられており、
前記筒状体が、前記リードシャフトの雄ねじ部と前記筒状体の雌ねじ部との螺合部分よりも延出する延出部を有し、その延出部の開口端部が前記保護部材に内包されているとともに、
前記筒状体は、外周面を前記保護部材の内周面に摺接させると同時に、内周面をリードシャフトに摺接させながら、前記弁体と一体に往復動する
ことを特徴とする。
【０００９】
筒状体９が、リードシャフト８の雄ねじ部８ａと筒状体９の雌ねじ部９ａとの螺合部分よりも延出する延出部９ｂを有し、その延出部９ｂの開口端部が保護部材１１に内包される構造とすれば、二重に保護できる。
【００１０】
【発明の実施の形態】
次に、この発明の実施の形態を図面に基づいて詳述する。
【００１１】
図１に、この発明による流体遮断弁の一実施形態を示す。この遮断弁は、ガス流路１の途中の流入側１ａと流出側１ｂとが直角に交わるところに設けられ、弁室２内の円盤状の弁体３を、弁室２の外側からモータやソレノイド等の電動アクチュエータ５にて往復動させて、流出側１ｂに設けられた弁座６の弁口７を開閉する。電動アクチュエータ５の正逆回転を弁体３の往復動に変換するために、電動アクチュエータ５にて回転されるリードシャフト８を、弁体３の中央に突設された筒状体９に挿入してリードシャフト８の雄ねじ部８ａと筒状体９の雌ねじ部９ａとを螺合させてある。このような構造については図３の従来例と同じであるが、図１の実施形態では次の構造が追加されている。
【００１２】
リードシャフト８を弁室２内で軸受けしている軸受部材１０に、その軸受部分から筒状体９の開口端部までを内包する保護部材１１が一体に突設されている。この保護部材１１は、筒状体９と同心円状の円筒形となっており、電動アクチュエータ５によりリードシャフト８が正逆回転すると、筒状体９は、保護部材１１の内周面に摺接しながら弁体３と一体に往復動するようになっている。
【００１３】
このような構造によると、リードシャフト８の雄ねじ部８ａ、およびそれと筒状体９の雌ねじ部９ａとの螺合部分は、保護部材１１により保護されて流路内で常に剥き出しにならないので、異物の侵入が防止される。
【００１４】
図２は、この発明の変形例で、弁体３に突設された筒状体９が、リードシャフト８の雄ねじ部８ａと筒状体９の雌ねじ部９との螺合部分よりも延出する延出部９ｂを有し、その延出部９ｂの開口端部までが、リードシャフト８とともに保護部材１１に内包されている。
【００１５】
このような構造によると、電動アクチュエータ５によりリードシャフト８が正逆回転すると、筒状体９が、その外周面を保護部材１１の内周面に摺接させると同時に、内周面をリードシャフト８に摺接させながら弁体３と一体に往復動するので、リードシャフト８の雄ねじ部８ａ、およびそれと筒状体９の雌ねじ部９ａとの螺合部分を二重に保護できる。
【００１６】
なお、図１および図２の例は、リードシャフト８が電動アクチュエータ５側、筒状体９が弁体３側に設けられ、電動アクチュエータ５によりリードシャフト８が回転されて筒状体９が弁体３と一体に移動されるタイプの場合であるが、この発明は、リードシャフト８が弁体３側、筒状体９が電動アクチュエータ５側に設けられ、電動アクチュエータ５により筒状体９が回転されてリードシャフト８が弁体３と一体に移動されるタイプの流体遮断弁に対しても同様に適用できる。
【００１７】
【発明の効果】
以上説明したように、請求項１ないし３に記載の発明によれば、筒状体の開口端部をリードシャフトの雄ねじ部とともに保護部材で内包して、リードシャフトの雄ねじ部、およびそれと筒状体の雌ねじ部との螺合部分が常に流路内で剥き出しにならないようにしたので、これらの部分への異物の侵入による動作不良を簡単に防止できる。
【００１８】
また、保護部材をリードシャフトの軸受部材と一体に設けたので、部品点数の増加無しに、保護できる。
【００１９】
さらに、請求項１に記載の発明によれば、筒状体が、リードシャフトの雄ねじ部と筒状体の雌ねじ部との螺合部分よりも延出する延出部を有し、その延出部の開口端部が保護部材に内包される構造としたので、リードシャフトの雄ねじ部、およびそれと筒状体の雌ねじ部との螺合部分を二重に保護できる。
【図面の簡単な説明】
【図１】この発明の一実施形態を示す流体遮断面の部分断面図である。
【図２】この発明の変形例を示す流体遮断面の部分断面図である。
【図３】従来例を示す流体遮断面の部分断面図である。
【符号の説明】
１    ガス流路
１ａ  ガス流路の流入側
１ｂ  ガス流路の流出側
２    弁室
３    弁体
５    電動アクチュエータ
６    弁座
７    弁口
８    リードシャフト
８ａ  リードシャフトの雄ねじ部
９    筒状体
９ａ  筒状体の雌ねじ部
９ｂ  筒状体の延出部
１０  軸受部材
１１  保護部材
【図１】
0004082630.tif 000002
【図２】
0004082630.tif 000003
【図３】
0004082630.tif 000004